(57)【特許請求の範囲】
【請求項１】
多数の通気孔を有する芯材の表面に、加熱されることにより発泡して、前記通気孔を閉塞しうる加熱発泡性耐火塗料を塗布したファイアストップ材を、平板状に展開しようとする性質を残して丸めて、建築物の内壁と外壁との対向面間に嵌合したことを特徴とするファイアストップ材を用いた建築物の壁構造。
【請求項２】
多数の通気孔を有する芯材の表面に、加熱されることにより発泡して、前記通気孔を閉塞しうる加熱発泡性耐火塗料を塗布したファイアストップ材の中間部を丸めて、建築物の内壁と外壁との対向面のいずれか一方に圧接し、かつ他方に、ファイアストップ材の端末部を止着したことを特徴とするファイアストップ材を用いた建築物の壁構造。
【請求項３】
芯材を、金属製網体とした請求項１または２記載のファイアストップ材を用いた建築物の壁構造。
【請求項４】
芯材を、適宜の奥行きを有し、かつ奥行き方向に多数の通気孔を設けたハニカム構造体、または多孔板とし、前記通気孔の内面を含む芯材の表面に加熱発泡性耐火塗料を塗布した請求項１または２記載のファイアストップ材を用いた建築物の壁構造。
【請求項５】
芯材を、互いに平行をなす多数の仕切板を有し、かつ隣接する仕切板間に通気孔となる間隙が形成されるようにしたものとし、前記各仕切板の表面に加熱発泡性耐火塗料を塗布した請求項１または２記載のファイアストップ材を用いた建築物の壁構造。
【発明の詳細な説明】
【０００１】
【発明の属する技術分野】
本発明は、ファイアストップ材を用いた建築物の壁構造に関する。
【０００２】
【従来の技術】
従来のファイアストップは、主に、いわゆるツーバイフォー工法である枠組壁工法において、床または天井と壁との間、及び壁と壁との間に設けられ、火災時に、火炎が相互に貫通しないようにしている。
【０００３】
従来のこの種のファイアストップは、通常木材が使用されており、火災時の火炎を遮断するだけでなく、平常時の通気をも遮断している。
【０００４】
【発明が解決しようとする課題】
近年、在来軸組工法だけでなく、枠組壁工法においても、壁体内に通気層を形成し、この通気層により床下空間と天井裏空間とを連通し、それらの相互間に空気を自然循環または強制循環させることにより、腐食の防止、室温調節の効率化等を図ることが考えられている。
【０００５】
このような空気循環を考える場合に、従来のファイアストップは、上述のように平常時の通気を遮断するものであるので、障害となっている。
【０００６】
また、従来のファイアストップ材は、上述のように木材により形成されており、可燃性であるので、燃焼後は火炎を遮断する本来の機能が消失する。
【０００７】
本発明は、従来の技術が有する上記のような問題点に鑑み、平常時は通気性を有し、火災時等においては火炎を遮断することができ、しかも耐火性を有するようにしたファイアストップ材を用いた建築物の壁構造を提供することを目的としている。
【０００８】
【課題を解決するための手段】
本発明によると、上記課題は次のようにして解決される。
（１）多数の通気孔を有する芯材の表面に、加熱されることにより発泡して、前記通気孔を閉塞しうる加熱発泡性耐火塗料を塗布したファイアストップ材を、平板状に展開しようとする性質を残して丸めて、建築物の内壁と外壁との対向面間に嵌合する。
【０００９】
（２）多数の通気孔を有する芯材の表面に、加熱されることにより発泡して、前記通気孔を閉塞しうる加熱発泡性耐火塗料を塗布したファイアストップ材の中間部を丸めて、建築物の内壁と外壁との対向面のいずれか一方に圧接し、かつ他方に、ファイアストップ材の端末部を止着する。
【００１０】
（３）上記(１)または(２)項において、芯材を、金属製網体とする。
【００１１】
（４）上記(１)または(２)項において、芯材を、適宜の奥行きを有し、かつ奥行き方向に多数の通気孔を設けたハニカム構造体、または多孔板とし、前記通気孔の内面を含む芯材の表面に加熱発泡性耐火塗料を塗布する。
【００１２】
（５）上記(１)または(２)項において、芯材を、互いに平行をなす多数の仕切板を有し、かつ隣接する仕切板間に通気孔となる間隙が形成されるようにしたものとし、前記各仕切板の表面に加熱発泡性耐火塗料を塗布する。
【００１３】
【発明の実施の形態】
以下、本発明の実施形態を、添付図面を参照して説明する。
図１及び図２は、本発明の建築物の壁構造に用いるファイアストップ材の一例を示す。
このファイアストップ材(１)は、多数の通気孔(２)を有する金網等の金属製綱体からなる芯材(３)の表面全体に、加熱されることにより発泡して、通気孔(２)を閉塞しうる加熱発泡性耐火塗料（以下単に耐火塗料という）(４)を塗布したものよりなっている。
【００１４】
図１は、耐火塗料(４)の加熱発泡前の状態を、図２は同じく加熱発泡後の状態をそれぞれ示す。
【００１５】
耐火塗料(４)としては、例えば化工機商事株式会社製のナリファイア・システムＳ（商品名）として知られている加熱発泡型耐火塗料を用いることができる。
これによると、耐火塗料(４)は、わずか１mm程度の塗膜で、火災時には発泡して、数１０mmの優れた断熱層を形成することができる。
したがって、芯材(３)に１mm程度の塗膜を形成する場合には、通気孔(２)の最大幅を、数１０mm×２(両側方から塗膜が発泡するとして)以下とすれば、火災時に通気孔(２)を完全に遮断することができる。
【００１６】
塗膜の厚さと通気孔(２)の最大幅とは、上述のように、火災時に通気孔(２)を完全に遮断できるように適宜選択すればよい。
【００１７】
塗布の方法としては、例えば吹き付け、はけ塗り、浸漬その他のいずれの方法でもよい。
【００１８】
芯材(３)は、金属製網体に限るものではなく、例えば、数cmの直径の円形の多数の通気孔を穿設したパンチングメタルや、木製の格子等としてもよい。
【００１９】
図３は、図１に示すファイアストップ材(１)を、建築物の内壁(11)と外壁(12)との対向面間にファイアストップ(21)として配設した、本発明の建築物の壁構造の第１の実施形態を示す。
【００２０】
この実施形態においては、図１に示すものと同様のファイアストップ材(１)を、平板状に展開しようとする性質を残して丸めて、ファイアストップ(21)を形成し、これを、建築物の内壁(11)と外壁(12)との対向面間に圧嵌している。
【００２１】
この実施形態によると、ファイアストップ材(１)を丸めて内壁(11)と外壁(12)との対向面間に嵌合するだけでよいので、施工がきわめて簡単であり、かつコストを低減できる。
【００２２】
しかも、平常時は、ファイアストップ材(１)の通気孔(２)を通して、建築物の内壁(11)と外壁(12)との間隙を空気が自由に流通することができ、火災時等においては、耐火塗料(４)が加熱されて発泡し、通気孔(２)を閉塞する断熱層が形成され、これによって、火炎が内壁(11)と外壁(12)との間隙内を流れるのが遮断される。
【００２３】
また、ファイアストップ材(１)と、内壁(11)及び外壁(12)とは、火災時に火炎が流れようとする方向に複数の個所で接触し、かつ接触面積を大としてあるので、ファイアストップ材(１)と、内壁(11)及び外壁(12)との間隙から火炎が漏出するのを確実に防止することができる。
【００２４】
図４は、本発明の建築物の壁構造の第２の実施形態を示す。
なお、図３に示す部材と同様の部材には、同一の符号を付して図示するに止め、それらについての詳細な説明は省略する。
【００２５】
第２の実施形態においては、図１に示すものと同様のファイアストップ材(１)の両端末部(31)を残して、中間部を円形に丸めるとともに、その頂部にＶ字状の折曲部(32)を設けたものをファイアストップ(33)とし、その折曲部(32)を建築物の内壁(11)と外壁(12)との対向面のいずれか一方(図４のものでは内壁(11))に圧接して、円形部分を弾性撓曲させ、両端末部(31)を、上記対向面の他方のもの(図４のものでは外壁(12))に設けた２条の切込み溝(34)に差し込んで止着してある。
【００２６】
この実施形態によると、ファイアストップ(33)の構造を簡素化できるとともに、容易に施工することができ、しかもファイアストップ(33)を確実に保持することができ、ファイアストップ(33)が地震等によっても妄りに移動することはない等の利点がある。
【００２７】
図５は、本発明の建築物の壁構造に用いるファイアストップ材の第２の例を示す。
この第２の例では、適宜の奥行きを有し、かつ奥行き方向に多数の通気孔(41)を設けた金属製または段ボール等の紙製のハニカム構造体を芯材(42)とし、その通気孔(41)の内面を含む芯材(42)の表面全体に、上記と同様の耐火塗料(４)を塗布して、ファイアストップ材(43)を形成している。
【００２８】
このファイアストップ材(43)によると、通気孔(41)を長くすることができ、その内面に塗布した耐火塗料(４)が火災時に発泡することにより、層の厚い優れた断熱層を形成することができる。
【００２９】
なお、芯材(42)は、不燃性、耐熱性、または耐火性の材料により形成するのが好ましいが、耐火塗料(４)を、加熱により発泡するまで保持できれば、紙や木のような可燃性の材料により形成してもよい。
【００３０】
図６は、本発明の壁構造に用いるファイアストップ材の第３の例を示す。
この第３の例においては、金属または木材製の方形の枠体(51)内に、互いに平行をなす上下方向を向く多数の金属または木材製の仕切板(52)の上下の端部をそれぞれ固着して、隣接する仕切板(52)間、及び枠体(51)と仕切板(52)との間に、通気孔となる間隙(53)が形成された芯材(54)を形成し、枠体(51)及び各仕切板(52)の表面に、耐火塗料(４)を塗布して、ファイアストップ材(55)としてある。
このファイアストップ材(55)は、火災時に、耐火塗料(４)が発泡して、上記間隙(53)を閉塞し、図５に示すファイアストップ材(43)とほぼ同様の作用及び効果を奏することができる。
【００３１】
これらの図５及び図６に示すファイアストップ材(43)(55)を、図３及び図４に示す建築物の壁構造において、ファイアストップ材(１)に代えて用いたり、または、例えば、図５に示す芯材(42)に代えて、多数の通気孔を穿設した多孔板を用いるなど、幾多の変化変形が可能である。
【００３２】
【発明の効果】
本発明によれば、次のような効果を奏することができる。
(ａ)請求項１記載の発明によると、ファイアストップ材を丸めて内壁と外壁との対向面間に嵌合するだけでよいので、施工がきわめて簡単であり、かつコストを低減できる。
平常時は、ファイアストップ材の通気孔を空気が自由に流通することができ、万一の火災時等においては、加熱発泡性耐火塗料が発泡して、通気孔を閉塞し、優れた断熱層を形成して、火炎の流れを確実に遮断することができる。
また、加熱発泡性耐火塗料が発泡して、耐火壁が形成されるので、芯材自体を耐火性または不燃性としなくても、芯材が焼失するおそれは少なく、また発泡した耐火塗料が固化すれば、芯材が焼失しても耐火壁は自立することができ、引き続き火炎を遮断することができる。
【００３３】
(ｂ)請求項２記載の発明によると、ファイアストップの構造を簡素化できるとともに、容易に施工することができ、しかもファイアストップを確実に保持することができ、ファイアストップが地震等によっても妄りに移動することはない。
その他の効果は、請求項１記載の発明と同様である。
【００３４】
(ｃ)請求項３記載の発明によると、ファイアストップ材の通気性を十分確保することができるとともに、ファイアストップ材を安価に製造でき、しかも容易に折り曲げたり丸めたりすることができるので、ファイアストップとして建築物の壁構造に組み付ける際の現場での施工性に優れている。
【００３５】
(ｄ)請求項４及び５記載の発明によると、通気孔を長くすることができ、その内面に塗布した耐火塗料が火災時に発泡することにより、層の厚い優れた断熱層を形成することができる。
【図面の簡単な説明】
【図１】本発明の建築物の壁構造に用いるファイアストップ材の一例における耐火塗料の加熱発泡前の状態を示す一部の拡大斜視図である。
【図２】同じく、加熱発泡後の状態を示す、図１と同様の部分の拡大斜視図である。
【図３】図１に示すファイアストップ材を用いた、本発明の建築物の壁構造の第１の実施形態を示す横断平面図である。
【図４】図１に示すファイアストップ材を用いた、本発明の建築物の壁構造の第２の実施形態を示す横断平面図である。
【図５】本発明の建築物の壁構造に用いるファイアストップ材の第２の例の一部の斜視図である。
【図６】本発明の建築物の壁構造に用いるファイアストップ材の第３の例の一部の正面図である。
【符号の説明】
(１)ファイアストップ材
(２)通気孔
(３)芯材
(４)加熱発泡性耐火塗料（耐火塗料）
(11)内壁
(12)外壁
(21)ファイアストップ
(31)端末部
(32)折曲部
(33)ファイアストップ
(34)切込み溝
(41)通気孔
(42)芯材
(43)ファイアストップ材
(51)枠体
(52)仕切板
(53)間隙
(54)芯材
(55)ファイアストップ材
【図１】
0003629652.tif 000002
【図２】
0003629652.tif 000003
【図３】
0003629652.tif 000004
【図４】
0003629652.tif 000005
【図５】
0003629652.tif 000006
【図６】
0003629652.tif 000007